(57)【要約】      （修正有）【課題】吸収性本体と着用者の身体の密着性を高めるパンツ型使い捨ておむつを提供する。【解決手段】前身頃１と後身頃２の少なくともいずれか一方に，幅方向に延びる複数の第１伸縮部材７１と複数の第２伸縮部材７２が設けられている。第１伸縮部材と第２伸縮部材は，例えば吸収性本体３０の幅方向外縁と重なる領域７０ａ，７０ｂに，幅方向に対して斜めに傾斜して延びる左右の傾斜部分を有している。第１伸縮部材と第２伸縮部材と傾斜部分が交差することにより，幅方向の左右に網目状領域７３が形成される。そして，左右の網目状領域７３には，それぞれ，吸収性本体の少なくとも一部が重畳している。【選択図】図２
2015165852.tif 000002
【特許請求の範囲】
【請求項１】
着用者の腹部に接する前身頃（１）と，着用者の背部に接する後身頃（２）と，前記前身頃（１）と前記後身頃（２）の間に位置する股下部（３）とに，長手方向に区分され，
前記前身頃（１）から前記後身頃（２）に掛けて吸収性本体（３０）が配置されており，
前記前身頃（１）と前記後身頃（２）の左右両側部（４）を互いに接合することにより，ウエスト開口部（５）と左右一対のレッグ開口部（６）が形成された
パンツ型の使い捨ておむつであって，
前記前身頃（１）と前記後身頃（２）の少なくともいずれか一方には，前記使い捨ておむつの幅方向に延びる複数の第１伸縮部材（７１）と複数の第２伸縮部材（７２）が設けられており，
前記前身頃（１）及び前記後身頃（２）を，
前記幅方向の中央に位置する中央領域（７０ａ）と，
前記中央領域（７０ａ）の前記幅方向の左右外側に位置する網目形成領域（７０ｂ）と，
前記網目形成領域（７０ｂ）の前記幅方向の左右外側に位置する外側領域（７０ｃ）と，に区分した場合において，
前記第１伸縮部材（７１）と前記第２伸縮部材（７２）は，左右の前記網目形成領域（７０ｂ）のそれぞれに，前記幅方向に対して斜めに傾斜して延びる左右の傾斜部分（７１ｂ，７２ｂ）を有し，
前記第１伸縮部材（７１）と前記第２伸縮部材（７２）の前記傾斜部分（７１ｂ，７２ｂ）が交差することにより，前記幅方向の左右に網目状領域（７３）が形成され，
左右の前記網目状領域（７３）には，それぞれ，前記吸収性本体（３０）の少なくとも一部が重畳している
パンツ型の使い捨ておむつ。
【請求項２】
左右の前記網目状領域（７３）には，それぞれ，前記吸収性本体（３０）の外縁の少なくとも一部が重畳している
請求項１に記載の使い捨ておむつ。
【請求項３】
前記吸収性本体（３０）は，少なくとも前記前身頃（１）と前記後身頃（２）において，前記複数の弾性伸縮部材が固定された外装体に取り付けられており，
前記吸収性本体（３０）は，前記幅方向の中央部分に前記外装体との接合部（３０ａ）を有し，前記接合部（３０ａ）の左右外側部分に非接合部（３０ｂ）を有しており，
前記吸収性本体（３０）の前記非接合部（３０ｂ）の少なくとも一部が，前記外装体の前記網目状領域（７３）に重畳している
請求項１又は請求項２に記載の使い捨ておむつ。
【請求項４】
前記第１伸縮部材（７１）と前記第２伸縮部材（７２）のなす角は，優角（α）と劣角（β）との差が３０度以下である
請求項１から請求項３のいずれかに記載の使い捨ておむつ。
【請求項５】
前記第１伸縮部材（７１）と前記第２伸縮部材（７２）は，前記外側領域（７０ｃ）に，前記幅方向と平行に延びる外側平行部分（７１ｃ，７２ｃ）を有する
請求項１から請求項４のいずれかに記載の使い捨ておむつ。
【請求項６】
前記第１伸縮部材（７１）は，
左右の一方の前記傾斜部分（７１ｂ）が，下側に向かって斜めに傾斜し，
左右の他方の前記傾斜部分（７１ｂ）が，上側に向かって斜めに傾斜するものであり，
前記第２伸縮部材（７２）は，
左右の一方の前記傾斜部分（７２ｂ）が，上側に向かって斜めに傾斜し，
左右の他方の前記傾斜部分（７２ｂ）が，下側に向かって斜めに傾斜するものである
請求項１から請求項５のいずれかに記載の使い捨ておむつ。
【請求項７】
前記第１伸縮部材（７１）は，
左右両方の前記傾斜部分（７１ｂ）が，下側に向かって斜めに傾斜するものであり，
前記第２伸縮部材（７２）は，
左右両方の前記傾斜部分（７２ｂ）が，上側に向かって斜めに傾斜するものである
請求項１から請求項５のいずれかに記載の使い捨ておむつ。
【請求項８】
前記第１伸縮部材（７１）と前記第２伸縮部材（７２）の両方又はいずれか一方は，
左右の前記網目形成領域（７０ｂ）のそれぞれに，２以上の傾斜部分（７１ｂ，７２ｂ）を有している
請求項１から請求項７のいずれかに記載の使い捨ておむつ。
【発明の詳細な説明】
【技術分野】
【０００１】
本発明は，着用者の股下に装着され，尿などの液体を吸収し保持するための使い捨ておむつに関する。具体的に説明すると，本発明は，前身頃と後身頃の左右両側を互いに接合することでパンツ型に成型された使い捨ておむつに関するものである。
【背景技術】
【０００２】
従来から，例えば乳幼児や高齢者用の使い捨てのおむつとして，パンツ型の使い捨ておむつが知られている。パンツ型使い捨ておむつは，前身頃と後身頃の両側部が予め接合されたタイプの使い捨ておむつである。パンツ型使い捨ておむつとしては，吸収性本体を保持するための外装体が前身頃から後身頃に掛けて一体となった一体型や，外装体が前身頃及び後身頃で分離され，前身頃外装体と後身頃外装体の間に吸収性本体が架橋された架橋型が知られている。
【０００３】
パンツ型使い捨ておむつは、一般的に、着用者の腹周りに接するウエスト部分に，複数の弾性伸縮部材が固定されている。これらの複数の弾性伸縮部材は，使い捨ておむつの幅方向に沿った伸長状態で固定されている。このため，弾性伸縮部材が収縮すると，使い捨ておむつのウエスト部分に，細かい皺（ウエストギャザー）が形成される。着用者の腹周りにウエストギャザーを形成することで，使い捨ておむつと着用者の腹部のフィット性を高めることができるため，着用者の動きや排泄物の重さに伴って使い捨ておむつがずれ落ちてしまうことを防止できる。また，ウエストギャザーを形成することで，吸収性本体が着用者の肌に密着するようになるため，尿などの排泄液を吸収性本体によって適切に吸収することが可能となる。
【０００４】
また，使いて捨ておむつのウエスト部分に複数の弾性伸縮部材を配置する際に，この弾性伸縮部材を搖動させて，斜めに傾斜して湾曲した状態で固定する技術が知られている（例えば，特許文献１，特許文献２，及び特許文献３）。
【０００５】
例えば，特許文献１には，股部方向へ膨らむ様に湾曲した下方湾曲ギャザーと，ウエスト部方向へ膨らむ様に湾曲した上方湾曲ギャザーとを，ウエスト部分の両側部において交差させる技術が開示されている。これにより，特許文献１の使い捨ておむつは，ずれ落ちを防止するための優れた締め付け力とフィット性を発揮することができる。
【０００６】
特許文献２には，前身頃の腹部相当個所に横方向に沿って複数本の腹部弾性伸縮部材を設け，この腹部弾性伸縮部材を，幅方向の中央部分において股下側に膨らむように配置する技術が開示されている。特許文献２の使い捨ておむつは，腹部弾性伸縮部材の湾曲部分を吸収性本体に交差させることで，着用者の体形に対するフィット性を向上させて，尿漏れを防止することができる。
【０００７】
特許文献３には，外包材に第１胴部弾性部材と第２胴部弾性部材とを交差させて配置し，この交差部を，使い捨ておむつを着用したときの着用者の大転子の部位に当接するように形成する技術が開示されている。特許文献３の使い捨ておむつによれば，弾性部材の締め付けによって，着用者の脚周りにゴム跡が残ることを軽減し，且つ，体液の漏れとおむつのずれ落ちとを防止することができる。
【先行技術文献】
【特許文献】
【０００８】
【特許文献１】特開平７−２９９０９４号公報
【特許文献２】特開平１０−１２７６８７号公報
【特許文献３】特開平２００９−２２５９７７号公報
【発明の概要】
【発明が解決しようとする課題】
【０００９】
ところで，パンツ型の使い捨ておむつは，外装体が着用者の動きに追従して，着用者の身体にフィットし続けることが，特に重要となる。すなわち，外装体が着用者の動きに対する外装体の追従性が悪いと，吸収体と着用者の股下との間に隙間が生じ易くなり，その隙間から尿漏れが発生する恐れがある。実際に，パンツ型の使い捨ておむつを着用する者には，自分でおむつを履くことができる者も多く，その動作も健常者と変わらないことが多い。つまり，パンツ型の使い捨ておむつの着用者の中には，健常者と同様に，歩いたり，階段を登ったり，椅子に座ったり，寝転がったり，腰を捻ったりするなど，様々な動きをすることができる者が多く存在する。このため，パンツ型の使い捨ておむつは，このような着用者の様々な動きに適宜対応して，着用者が動いている最中であっても，身体にフィットし続けるような追従性が求められる。
【００１０】
このような追従性を向上させるという観点において，上記した特許文献１〜３に開示されるように，ウエスト部分に配置される弾性伸縮部材を湾曲して配置するという技術は有効性が高いとされている。すなわち，弾性伸縮部材を湾曲させて，斜めに傾斜する部分を形成することで，吸収性本体がその幅方向だけでなく，弾性伸縮部材に傾斜部分に沿って，斜めにも伸縮するようになる。これにより，外装体が多様な方向に伸縮するようになるため，着用者の多様な動きに追従できるようになる。
【００１１】
しかしながら，特許文献１〜３に開示された技術では，おむつの外装体の追従性を高めることができるものの，この外装体の伸縮に応じて，吸収性本体の全体を着用者の身体にフィットさせ続けることは困難であった。つまり，従来の使い捨ておむつでは，着用者が階段を登ったり腰を捻るといったような動きをした場合に，外装体は弾性伸縮部材の伸縮性によって着用者の身体にフィットすることができるものの，吸収性本体は着用者の身体から離れて隙間が生じることがある。特に，吸収性本体は，その底面全体を外装体に接合すると，着用者の動きに合わせて外装体に引っ張られて股下からずれてしまうことがあるという理由から，その幅方向の左右両側には，外装体に接合されていない非接合部が設けられることがある。このような場合に，着用者が多様な動きをすると，吸収性本体のうちの非接合部分や，吸収性本体の四隅の部分が，特に着用者の身体から解離し易いという問題があった。このため，弾性伸縮部材を湾曲させて外装体に固定しただけでは，吸収性本体のうち，特に左右両側縁や四隅などの外縁部分が着用者の身体から離れてしまい，隙間が生じやすくなるという問題があった。
【００１２】
そこで，本発明は，着用者の多様な動作に対応できるように，外装体の追従性を確保しつつ，吸収性本体が着用者の身体に密着し易くなるようにすることを目的とする。
【課題を解決するための手段】
【００１３】
そこで，本発明の発明者は，従来の問題の解決手段について鋭意検討した結果，ウエスト部分に，斜めに傾斜する部分を有する複数の伸縮部材を交差させて網目状に配置し，この網目状の領域に吸収性本体の一部を重畳させることとした。このように，伸縮部材が交差した網目状の領域に吸収性本体の一部（特に着用者の身体から解離しやすい外縁部分）を重ねることで，外装体が多様な方向に伸縮したときにも，吸収性本体が着用者の身体に密着しやすくなる。そして，本発明者は，上記知見に基づけば，従来技術の課題を解決できることに想到し，本発明を完成させた。
具体的に説明すると，本発明は以下の構成を有する。
【００１４】
本発明は，パンツ型の使い捨ておむつに関する。
本発明の使い捨ておむつは，着用者の腹部に接する前身頃１と，着用者の背部に接する後身頃２と，前身頃１と後身頃２の間に位置する股下部３とに，長手方向に区分されている。また，股下部３を中心に，前身頃１から後身頃２に掛けて，吸収性本体３０が配置されている。また，前身頃１と後身頃２の左右両側部４を互いに接合することにより，ウエスト開口部５と左右一対のレッグ開口部６が形成されている。
また，前身頃１と後身頃２を，幅方向に沿って，中央領域７０ａと，網目形成領域７０ｂと，外側領域７０ｃとに，概念的に区分する。中央領域７０ａは，幅方向の中央に位置する１つの領域である。網目形成領域７０ｂは，中央領域７０ａの幅方向の左右外側に位置する２つの領域である。外側領域７０ｃは，網目形成領域７０ｂの幅方向の左右外側に位置する２つの領域である。このように，前身頃１と後身頃２を，概念的に，５つの領域に区分する。
ここで，本発明の使い捨ておむつは，前身頃１と後身頃２の少なくともいずれか一方には，使い捨ておむつの幅方向に延びる複数の第１伸縮部材７１と複数の第２伸縮部材７２が配置されている。
第１伸縮部材７１と第２伸縮部材７２は，左右の網目形成領域７０ｂのそれぞれに，幅方向に対して斜めに傾斜して延びる左右の傾斜部分７１ｂ，７２ｂを有している。
複数の第１伸縮部材７１と複数の第２伸縮部材７２の傾斜部分７１ｂ，７２ｂが交差することにより，幅方向の左右に網目状領域７３が形成される。
そして，左右の網目状領域７３には，それぞれ，吸収性本体３０の少なくとも一部が重畳している。
【００１５】
上記構成のように，まず，本発明では，第１伸縮部材７１と第２伸縮部材７２のそれぞれに，左右の傾斜部分７１ｂ，７２ｂを形成する。このため，これらの伸縮部材７１，７２が固定された外装体は，幅方向だけでなく斜め方向にも伸縮できるようになるため，着用者の多様な動きに追従できるようになる。ただし，外装体の追従性を向上させても，その外装体に保持されている吸収性本体３０が着用者の身体から離れてしまっては，尿漏れを効果的に防止できない。そこで，本発明では，第１伸縮部材７１と第２伸縮部材７２との傾斜部分７１ｂ，７２ｂを互いに交差させることで，網目状領域７３を形成する。そして，この網目状領域７３に，吸収性本体３０の少なくとも一部を重畳させる。これにより，少なくとも，網目状領域７３に重畳している吸収性本体３０の部分が，着用者の動きに併せて，外装体と共に着用者の身体に密着し易くなる。従って，着用者が多様な動きをしても，吸収性本体３０との間に隙間が生じにくくなり，その結果，尿漏れを防止することができる。また，第１伸縮部材７１と第２伸縮部材７２を搖動して斜めに傾斜させることで，これらの伸縮部材が斜め方向にも伸縮する。つまり，伸縮部材が，使い捨ておむつを引き上げる方にも伸縮するため，着用者がおむつを引き上げ易くなる。
【００１６】
本発明の使い捨ておむつにおいて，左右の網目状領域７３には，それぞれ，吸収性本体３０の外縁の少なくとも一部が重畳していることが好ましい。
【００１７】
上記構成のように，吸収性本体３０のうち，着用者の身体から特に解離しやすいとされる外縁部分を，網目状領域７３に重畳させておくことで，より効果的に吸収性本体３０の密着性を高めることができる。
【００１８】
本発明の使い捨ておむつでは，吸収性本体３０が，少なくとも前身頃１と後身頃２において，複数の弾性伸縮部材が固定された外装体に取り付けられている。この場合に，吸収性本体３０は，幅方向の中央部分に外装体との接合部３０ａを有し，接合部３０ａの左右外側部分に非接合部３０ｂを有していることが好ましい。また，吸収性本体３０の非接合部３０ｂの少なくとも一部が，外装体の網目状領域７３に重畳していることが好ましい。
【００１９】
上記構成のように，吸収性本体３０の左右両側縁近傍に非接合部３０ｂを形成することで，吸収性本体３０全体が外装体の動きに引っ張られてしまうことを防止できる。つまり，吸収性本体３０の全体を外装体に接合してしまうと，外装体の動きに引っ張られて，吸収性本体３０が，着用者の股下位置からずれてしまうという不具合がある。そこで，吸収性本体３０の左右両側縁近傍に非接合部３０ｂを形成することにより，この不具合を解消する。ただし，吸収性本体３０に非接合部３０ｂを形成すると，吸収性本体３０の左右両側縁が身体から離れ易くなるという新たな不具合が発生する。そこで，この吸収性本体３０の非接合部３０ｂを，外装体の網目状領域７３に重畳させることで，吸収性本体３０の左右両側縁がしっかり身体にフィットするようになる。
【００２０】
本発明の使い捨ておむつにおいて，第１伸縮部材７１と第２伸縮部材７２のなす角は，優角（α）と劣角（β）との差が３０度以下であることが好ましい。
【００２１】
上記構成のように，第１伸縮部材７１と第２伸縮部材７２の交点において，優角（α）と劣角（β）の差を小さくすることで，これらの伸縮部材７１，７２によって，外装体がバランス良く様々な方向に伸び縮みするようになる。このため，外装体の追従性が良好になるとともに，外装体に保持されている吸収性本体３０の密着性が向上する。
【００２２】
本発明の使い捨ておむつにおいて，第１伸縮部材７１と第２伸縮部材７２は，外側領域７０ｃにおいて幅方向と平行に延びる外側平行部分７１ｃ，７２ｃを有することが好ましい。
【００２３】
上記構成のように，網目状領域７３が形成される網目形成領域７０ｂよりも幅方向外側に，第１伸縮部材７１と第２伸縮部材７２が平行に延びる外側領域７０ｃを形成する。これにより，外装体が，幅方向と平行な方向に適切に伸縮すると共に，幅方向に対して傾斜した方向にも適切に伸縮するようになる。従って，外装体は，多様な方向に伸縮できるようになる。なお，中央領域７０ａにおいて，第１伸縮部材７１と第２伸縮部材７２は，幅方向と平行な方向に延びていてもよいし，切断されていてもよい。
【００２４】
本発明の使い捨ておむつにおいて，第１伸縮部材７１は，左右の一方の傾斜部分７１ｂが，下側に向かって斜めに傾斜し，左右の他方の傾斜部分７１ｂが，上側に向かって斜めに傾斜するものであってもよい。この場合，第２伸縮部材７２は，左右の一方の傾斜部分７２ｂが，上側に向かって斜めに傾斜し，左右の他方の傾斜部分７２ｂが，下側に向かって斜めに傾斜するものとなることが好ましい。
【００２５】
上記構成では，第１伸縮部材７１は，左右の傾斜部分７１ｂが互いに反対方向に傾斜する。第２伸縮部材７２も同様に，左右の傾斜部分７２ｂが互いに反対方向に傾斜する。このように，第１伸縮部材７１と第２伸縮部材７２を配置することで，使い捨ておむつの外観上の見栄えが良くなるというメリットがある。
【００２６】
本発明の使い捨ておむつにおいて，第１伸縮部材７１は，左右両方の傾斜部分７１ｂが，下側に向かって斜めに傾斜するものであってもよい。この場合，第２伸縮部材７２は，左右両方の傾斜部分７２ｂが，上側に向かって斜めに傾斜するものであることが好ましい。
【００２７】
上記構成では，第１伸縮部材７１は，左右の傾斜部分７１ｂが同じ方向に傾斜する。第２伸縮部材７２も同様に，左右の傾斜部分７２ｂが同じ方向に傾斜する。このように，第１伸縮部材７１と第２伸縮部材７２を配置することで，各伸縮部材を高速で搖動させて外装体に取り付ける際に，各伸縮部材に掛かる張力（テンション）が不均一になったり，各伸縮部材の軌跡にズレが生じることを防止できる。すなわち，第１伸縮部材７１と第２伸縮部材７２の左右の傾斜部分７１ｂ，７２ｂを同じ方向に傾斜させることで，各伸縮部材を高速で搖動させて外装体に取り付ける際に，各伸縮部材が安定しやすくなる。
【００２８】
本発明の使い捨ておむつにおいて，第１伸縮部材７１と第２伸縮部材７２の両方又はいずれか一方は，網目形成領域７０ｂに，２以上の傾斜部分７１ｂ，７２ｂを有していてもよい。
【００２９】
上記構成のように，第１伸縮部材７１と第２伸縮部材７２を，多段階で揺動させて，２以上の傾斜部分７１ｂ，７２ｂを形成することで，網目形成領域７０ｂに形成される交点の数が増えて，網目状領域７３の面積が拡大する。これにより，外装体の追従性と，吸収性本体３０の密着性がより効果的に発揮される。
【発明の効果】
【００３０】
本発明よれば，着用者の多様な動作に対応できるように，使い捨ておむつの外装体の追従性を確保することができる。さらに，着用者の動作に追従して外装体が様々な方向に伸縮したときにも，吸収性本体が着用者の身体に密着し続け易くなる。
【図面の簡単な説明】
【００３１】
【図１】図１は，本発明のパンツ型使い捨ておむつを示した外観斜視図である。
【図２】図２は，本発明のパンツ型使い捨ておむつの展開図である。
【図３】図３は，本発明のパンツ型使い捨ておむつの一部の断面を示した模式図である。
【図４】図４は，第１伸縮部材と第２伸縮部材を概念的に抽出して示した模式図である。
【図５】図５は，本発明の他の実施形態に係るパンツ型使い捨ておむつの展開図である。
【図６】図６は，他の実施形態に係る第１伸縮部材と第２伸縮部材を概念的に抽出して示した模式図である。
【図７】図７は，本発明のさらに別の実施形態に係るパンツ型使い捨ておむつの展開図である。
【図８】図８は，さらに別の実施形態に係る第１伸縮部材と第２伸縮部材を概念的に抽出して示した模式図である。
【発明を実施するための形態】
【００３２】
以下，図面を用いて本発明を実施するための形態について説明する。本発明は，以下に説明する形態に限定されるものではなく，以下の形態から当業者が自明な範囲で適宜修正したものも含む。
本願明細書において，「長手方向」とは，使い捨ておむつの前身頃と後見頃を結ぶ方向である。また，「幅方向」とは，使い捨ておむつの長手方向と平面的に直交する方向である。図中において，「長手方向」はＹ軸で示され，「幅方向」はＸ軸で示されている。
なお，本願明細書において，「Ａ〜Ｂ」とは，「Ａ以上Ｂ以下」であることを意味する。
【００３３】
本発明は，パンツ型の使い捨ておむつであれば，公知のものに広く適用可能である。パンツ型の使い捨ておむつとは，前身頃と後身頃の両側部が予め接合された構成の使い捨ておむつである。例えば，パンツ型の使い捨ておむつは，それぞれ別体として形成された前身頃外装体と後身頃外装体の間に，吸収性本体が架橋された構成を有する架橋タイプのものであってもよい。また，パンツ型の使い捨ておむつは，前身頃から股下部を通って後身頃に掛けて一体的に形成された外装体に，股下部を中心として吸収性本体を固定した一体タイプのものであってもよい。以下では，これらタイプのパンツ型使い捨ておむつのうち，前身頃外装体と後身頃外装体が別体として設けられた架橋タイプを例に挙げて，本発明の内容を具体的に説明する。
【００３４】
図１は，一実施形態に掛かるパンツ型使い捨ておむつ１００を前身頃側から見た例を示す斜視図である。また，図２は，使い捨ておむつ１００の例を示す展開図である。図２の展開図に示されるように，使い捨ておむつ１００は，長手方向（Ｙ軸方向）と幅方向（Ｘ軸方向）を有している。使い捨ておむつ１００は，装着された際において，着用者の腹部に接する前身頃１と，着用者の背部に接する後身頃２と，着用者の股下にあてがわれる股下部３に，長手方向に区分される。本実施形態において，使い捨ておむつ１００は，前身頃１を構成する前身頃外装体１０と，後身頃２を構成する後身頃外装体２０を備える。そして，前身頃外装体１０と後身頃外装体２０の間の股下部３には，吸収性本体３０が架橋されている。すなわち，本実施形態において，吸収性本体３０は，その長手方向の一端部側が前身頃外装体１０に固定され，長手方向の他端部側が後身頃外装体２０に固定されている。
【００３５】
図２に示された展開状態から，前身頃外装体１０と後身頃外装体２０の左右の両側部４を互いに重ね合わせた状態で接合する。これにより，前身頃外装体１０と後身頃外装体２０の左右両端に，サイドシール部が形成される。このように，左右両側部４において，前身頃外装体１０と後身頃外装体２０を互いに接合することにより，図２に示された展開状態から，図１に示された状態に組み上がる。図１に示されるように，前身頃外装体１０の上端縁と後身頃外装体２０の上端縁により，ウエスト開口部５が形成される。また，前身頃外装体１０と後身頃外装体２０の両端両側部４が接合されることにより，装着時に着用者の左右の脚部周りに位置する一対のレッグ開口部６が形成される。このため，着用者は，ウエスト開口部５から両脚部を入れ，各脚部をレッグ開口部６から出すことで，使い捨ておむつ１００を装着することができる。
【００３６】
図１及び図２に示されるように，前身頃外装体１０及び後身頃外装体２０には，それぞれ，複数の弾性伸縮部材が配置されている。複数の弾性伸縮部材は，使い捨ておむつの幅方向（Ｘ軸方向）に伸長した状態で，前身頃外装体１０と後身頃外装体２０に固定されている。このため，複数の弾性伸縮部材が収縮すると，前身頃外装体１０と後身頃外装体２０を構成するシート部材（不織布等）に皺が生じてギャザー（ウエストギャザー）を形成する。このように，使い捨ておむつのウエスト部分に，ギャザーが形成されることで，着用者の腹周りに柔軟にフィットするようになる。
【００３７】
具体的に説明すると，図３は，図２に示したＡ−Ａ線における前身頃外装体１０の断面形状を斜視的に示している。なお，前身頃外装体１０と後身頃外装体２０の断面構造は，略同じであるため，ここでは，図３を参照して，前身頃外装体１０と後身頃外装体２０の両方の断面構造にいて説明する。図３に示されるように，前身頃外装体１０と後身頃外装体２０は，肌対向面側（着用者の肌に対向する面側）に位置するインナーシート１１，２１と，肌非対向面側（着用者の肌に対向しない面側）に位置するアウターシート１２，２２と，を有する。インナーシート１１，２１とアウターシート１２，２２は，互いに重ね合わされて，ホットメルト接着剤などによって接合されている。インナーシート１１，２１とアウターシート１２，２２は，それぞれ，手触りの良い不織布などで構成することが好ましい。そして，インナーシート１１，２１とアウターシート１２，２２の間には，ウエストギャザーを形成する複数の弾性伸縮部材７０（７１，７２）が，幅方向に沿って固定されている。複数の弾性伸縮部材７０（７１，７２）は，それぞれ，幅方向（Ｘ方向）に延びており，長手方向（Ｙ方向）に所定間隔を空けて配置されている。このように，前身頃外装体１０と後身頃外装体２０は，インナーシート１１，２１とアウターシート１２，２２の間に，ウエストギャザーを形成する複数の弾性伸縮部材７０（７１，７２）を挟み込んで固定したものであることが好ましい。
【００３８】
また，図３に示されるように，インナーシート１１，２１の肌対向面には，吸収性本体３０が固定される。インナーシート１１，２１と吸収性本体３０の固定には，ホットメルト接着剤等を用いればよい。吸収性本体３０は，その外形が，矩形状のものであってもよいし，長手方向の中央部分がくびれた砂時計型であってもよい。また，吸収性本体３０の外形は，丸みを帯びていてもよい
【００３９】
また，図２及び図３において，符号３０ａは，インナーシート１１，２１と吸収性本体３０の接合部を示している。また，符号３０ｂは，インナーシート１１，２１と吸収性本体３０の非接合部を示している。図２及び図３に示されるように，吸収性本体３０は，幅方向中央部分に位置する接合部３０ａにおいて，インナーシート１１，２１に接合されている。他方，吸収性本体３０は，非接合部３０ｂが幅方向の左右両側に位置している。このため，吸収性本体３０は，幅方向の左右両側縁の近傍において，インナーシート１１，２１に接合されずに，離間した状態となっている。このように，吸収性本体３０の左右両側に非接合部３０ｂを設けることで，吸収性本体３０全体が外装体１０，２０の動きに引っ張られて，着用者の股下位置からずれてしまうという不具合を解消できる。このため，吸収性本体３０には，幅方向左右両側において，インナーシート１１，２１に接合されていない領域（非接合部３０ｂ）を設けることが好ましい。左右の非接合部３０の幅は，左右のそれぞれが，吸収性本体３０の最大幅に対して，５％以上，１０％以上，又は１５％以上であることが好ましく，例えば５〜３０％，１０〜２５％，又は１５〜２０％であることが好ましい。また，本発明では，吸収性本体３０の非接合部３０ｂと，ウエストギャザーを形成する複数の弾性伸縮部材７０（７１，７２）の位置関係も重要となる。この位置関係についての詳細は，後述する。
【００４０】
ここで，本発明においては，ウエストギャザーを形成する弾性伸縮部材には，複数の第１伸縮部材７１と複数の第２伸縮部材７２とが含まれる。複数の第１伸縮部材７１と複数の第２伸縮部材７２は，それぞれ，長手方向に間隔をおいて配置されていてもよいし，一部重なっていてもよい。図２の展開図に示されるように，本実施形態において，複数の第１伸縮部材７１は，前身頃外装体１０と後身頃外装体２０の幅方向の中央部分において，股下部３が存在する方向に向かって膨らむように湾曲して配置されている。具体的には，複数の第１伸縮部材７１は，すべて同じ形状に湾曲している。他方，第２伸縮部材７２は，前身頃外装体１０と後身頃外装体２０の幅方向の中央部分において，第１伸縮部材７１とは逆側に向かって膨らむように湾曲して配置されている。つまり，第２伸縮部材７２は，幅方向の中央部分において，ウエスト端縁側に向かって膨らむように湾曲している。具体的には，複数の第２伸縮部材７２は，すべて同じ形状に湾曲している。これにより，第１伸縮部材７１と第２伸縮部材７２は互いに交差する。そして，複数の第１伸縮部材７１と複数の第２伸縮部材７２が交差することにより，前身頃外装体１０と後身頃外装体２０には，網目状領域７３が形成される。この網目状領域７３は，図２に示されるように，前身頃外装体１０と後身頃外装体２０のそれぞれに，少なくとも左右１箇所ずつ（合計２箇所）に形成される。
【００４１】
具体的に説明すると，網目状領域７３は，第１伸縮部材７１と第２伸縮部材７２の交点を結ぶことで画定される領域である。図２では，網目状領域７３のうちの一つに薄墨を施して，その領域の範囲を示している。つまり，網目状領域７３の範囲には複数の交点が含まれており，それらの交点の最も外側に位置するものをそれぞれ仮想線で結ぶことで，網目状領域７３の範囲を画定することができる。本実施形態では，前身頃外装体１０と後身頃外装体２０のそれぞれに，左右２箇所ずつ，合計に箇所２箇所の網目状領域７３が形成されることとなる。
【００４２】
さらに具体的に説明すると，図４（ａ）（ｂ）には，第１伸縮部材７１と，第２伸縮部材７２の拡大図が示されている。図４（ａ）（ｂ）に示されているように，第１伸縮部材７１と第２伸縮部材７２は，それぞれ，中央平行部分７１ａ，７２ａと，傾斜部分７１ｂ，７２ｂと，外側平行部分７１ｃ，７２ｃを有する。中央平行部分７１ａ，７２ａは，幅方向の中央において，第１伸縮部材７１と第２伸縮部材７２が使い捨ておむつの幅方向に沿って平行に延びる部分である。また，傾斜部分７１ｂ，７２ｂは，中央平行部分７１ａ，７２ａの幅方向左右外側に位置し，使い捨ておむつの幅方向に対して傾斜している部分である。第１伸縮部材７１の傾斜部分７１ｂと，第２伸縮部材７２の傾斜部分７２ｂは，それぞれ反対方向に向かって傾斜している。また，外側平行部分７１ｃ，７２ｃは，傾斜部分７１ｂ，７２ｂの幅方向外側に位置し，使い捨ておむつの幅方向に沿って平行に延びる部分である。これにより，第１伸縮部材７１は，股下部３の方向に向かって膨らむように湾曲し，第２伸縮部材７２は，その反対方向に向かって膨らむように湾曲している。
【００４３】
このように，第１伸縮部材７１と第２伸縮部材７２とを湾曲させるためには，各伸縮部材を外装体１０，２０に固定する際に，搖動させればよい。ここでは，幅方向と平行に配置されている弾性伸縮部材を，一度傾斜させて，もう一度幅方向と平行に配置する動作を，「揺動」という。すなわち，図４（ａ）（ｂ）では，第１伸縮部材７１と第２伸縮部材７２を配置する際の進行方向が矢印で示されている。図４（ａ）に示されるように，第１伸縮部材７１は，まず，左側の外側平行部分７１ｃにおいて幅方向と平行に配置され，左側の傾斜部分７１ｂにおいて下側に向かって傾斜して配置され，その後，中央平行部分７１ａにおいてもう一度幅方向と平行に配置される。これが，一度目の揺動操作となる。続いて，第１伸縮部材７１は，中央平行部分７１ａにおいて幅方向と平行になった後，右側の傾斜部分７１ｂにおいて上側に向かって傾斜して配置され，その後，右側の外側平行部分７１ｃにおいてもう一度幅方向と平行に配置される。これが，二度目の揺動操作となる。このように，本実施形態では，第１伸縮部材７１につき，二度の揺動操作を行って，湾曲させる。同様に，第２伸縮部材７２に対しても，二度の揺動操作を行う。すなわち，図４（ｂ）に示されるように，第２伸縮部材７２は，まず，左側の外側平行部分７２ｃにおいて幅方向と平行に配置され，左側の傾斜部分７２ｂにおいて上側に向かって傾斜して配置され，その後，中央平行部分７２ａにおいてもう一度幅方向と平行に配置される。これが，一度目の揺動操作となる。続いて，第２伸縮部材７２は，中央平行部分７２ａにおいて幅方向と平行になった後，右側の傾斜部分７２ｂにおいて下側に向かって傾斜して配置され，その後，右側の外側平行部分７２ｃにおいてもう一度幅方向と平行に配置される。これが，二度目の揺動操作となる。このように，第１伸縮部材７１と第２の伸縮部材７２とでは，傾斜部分７１ｂ，７２ｂにおける揺動方向が逆になっている。このため，第１伸縮部材７１と第２伸縮部材７２は，傾斜部分７１ｂ，７２ｂにおいて互いに交差するようになる。
【００４４】
ここで，図２の展開図に示されるように，前身頃外装体１０と後身頃外装体２０を，それぞれ，幅方向（Ｘ軸方向）に沿って，中央領域７０ａと，網目形成領域７０ｂと，外側領域７０ｃとに，概念的に区分することができる。中央領域７０ａは，幅方向の中央に位置する１つの領域である。網目形成領域７０ｂは，中央領域７０ａの幅方向の左右外側に位置する２つの領域である。外側領域７０ｃは，網目形成領域７０ｂの幅方向のさらに左右外側に位置する２つの領域である。このように，前身頃１と後身頃２を，概念的に，幅方向に沿って５つの領域に区分する。例えば，中央領域７０ａの幅は，吸収性本体３０の幅に対して，２０％〜５０％程度であることが好ましい。また，左右の網目形成領域７０ｂの幅は，左右のそれぞれが，吸収性本体３０の幅に対して，１０％〜３０％程度であることが好ましい。さらに，左右の外側領域７０ｃの幅は，左右のそれぞれが，吸収性本体３０の幅に対して，１５％〜４０％程度であることが好ましい。
【００４５】
この場合において，図２と図４（ａ）（ｂ）を参照すればわかるように，第１伸縮部材７１と第２伸縮部材７２の外側平行部分７１ｃ，７２ｃは，前身頃外装体１０と後身頃外装体２０の外側領域７０ｃに位置している。また，第１伸縮部材７１と第２伸縮部材７２の傾斜部分７１ｂ，７２ｂは，それぞれ，前身頃外装体１０と後身頃外装体２０の網目形成領域７０ｂに位置している。これにより，網目形成領域７０ｂにおいて，複数の第１伸縮部材７１と複数の第２伸縮部材７２とが交点を形成し，ここに網目状領域７３が形成される。さらに，第１伸縮部材７１と第２伸縮部材７２の中央平行部分７１ａ，７２ａは，前身頃外装体１０と後身頃外装体２０の中央領域７０ａに位置している。
【００４６】
また，本実施形態では，特に，複数の第１伸縮部材７１と複数の第２伸縮部材７２の傾斜部分７１ｂ，７２ｂは，その全てが，前身頃外装体１０と後身頃外装体２０の網目形成領域７０ｂに一致していることが好ましい。つまり，複数の第１伸縮部材７１と複数の第２伸縮部材７２の傾斜部分７１ｂ，７２ｂは，すべて，おむつの長手方向に沿って揃った位置（網目形成領域７０ｂ）に形成されていることが好ましい。これにより，前身頃外装体１０と後身頃外装体２０の網目形成領域７０ｂに，外観上綺麗な網目（網目状領域７３）が形成されるようになる。
【００４７】
このようにして，前身頃外装体１０と後身頃外装体２０に網目状領域７３が形成される。そして，図２の展開図及び図３の断面図に示されるように，本発明では，この網目状領域７３に，吸収性本体３０の少なくとも一部を重畳させる。具体的に，網目状領域７３に重畳する吸収性本体３０の一部とは，吸収性本体３０の外縁の近傍であることが好ましく，吸収性本体３０の隅部分の近傍であることが特に好ましい。吸収性本体３０の外縁とは，吸収体本体３０の外形を形成する縁部分である。また，吸収性本体３０の隅とは，吸収性本体３０の外縁のうち，最も角に近い端の部分である。なお，吸収性本体３０の一部は，少なくとも，網目状領域７３の中に形成される第１伸縮部材７１と第２伸縮部材７２の交点のうちの２つ以上に重畳していることが好ましい。特に，吸収性本体３０の一部は，網目状領域７３に含まれる交点の３つ以上，４つ以上，又は５つ以上に重なっていることが好ましい。
【００４８】
このようにして，本発明では，網目状領域７３に，吸収性本体３０の少なくとも一部を重畳させる。これにより，網目状領域７３に重畳している吸収性本体３０の部分が，着用者の動きに併せて，外装体と共に着用者の身体に密着し易くなる。従って，着用者が多様な動きをしても，吸収性本体３０との間に隙間が生じにくくなり，その結果，尿漏れを防止することができる。さらに，吸収性本体３０のうち，着用者の身体から特に解離しやすいとされる外縁部分（特に隅部分）を，網目状領域７３に重畳させておくことで，より効果的に吸収性本体３０の密着性を高めることができる。
【００４９】
網目状領域７３は，適切に吸収性本体３０の一部を重畳させることができるように，ある程度の幅を有している。なお，網目状領域７３の幅は，基本的に，網目形成領域７０ｂの幅と一致する。すなわち，左右の網目状領域７３の幅は，左右のそれぞれが，吸収性本体３０の幅に対して，１０％〜３０％の値であることが好ましい。つまり，網目状領域７３の幅は，前身頃外装体１０又は後身頃外装体２０に形成された左右２箇所を合計すると，吸収性本体３０の幅に対して，２０％以上〜６０％の値であることが好ましい。
【００５０】
また，図２等に示した実施形態では，複数の第１伸縮部材７１は，長手方向に等間隔で配置されている。また，複数の第２伸縮部材７２も，長手方向に等間隔で配置されている。さらに，複数の第１伸縮部材７１の間隔と，第２伸縮部材７２の間隔は，略等しい値に設定されている。例えば，第１伸縮部材７１と第２伸縮部材７２は，それぞれ，５ｍｍ〜５０ｍｍ程度の間隔で配置されることが好ましい。ただし，各種伸縮部材７１，７２の間隔は，使い捨ておむつの用途などに応じて適宜設計することができる。また，図２等に示した実施形態では，複数の第１伸縮部材７１と複数の第２伸縮部材７２は，外側平行部分７１ｃ，７２ｃが重ならないように，長手方向に沿って交互に配置されている。つまり，図２等に示した実施形態では，第１伸縮部材７１の外側平行部分７１ｃの間に，第２伸縮部材７２の外側平行部分７２ｃが位置するような配置となっている。これにより，第１伸縮部材７１と複数の第２伸縮部材７２の外側平行部分７１ｃ，７２ｃが重なることを防止できる。ただし，図示は省略するが，第１伸縮部材７１と複数の第２伸縮部材７２の外側平行部分７１ｃ，７２ｃは，重なって配置されていてもよい。
【００５１】
さらに，上述したとおり，吸収性本体３０は，前身頃外装体１０と後身頃外装体２０に対する接合部３０ａと非接合部３０ｂを有している。また，本実施形態において，この非接合部３０ｂは，吸収性本体３０の幅方向左右両側縁に沿って形成されている。この場合に，この非接合部３０ｂの少なくとも一部を，前身頃外装体１０と後身頃外装体２０に網目状領域７３に重畳させることが好ましい。網目状領域７３に重畳させる非接合部３０ｂの一部は，特に，吸収性本体３０の隅部分が含まれることが好ましい。吸収性本体３０の非接合部３０ｂは，外装体１０，２０から解離して浮きやすくなっているため，この非接合部３０ｂを，外装体の網目状領域７３に重畳させることで，吸収性本体３０の左右両側縁がしっかり身体にフィットするようになる。
【００５２】
また，図４（ｃ）には，第１伸縮部材７１と第２伸縮部材７２の交点付近を拡大して示した模式図が示されている。図４（ｃ）において，符号θ１は，第１伸縮部材７１の傾斜部分７１ｂが，おむつの幅方向に対して傾いた傾斜角を示している。また，符号θ２は，第２伸縮部材７２の傾斜部分７２ｂが，おむつの幅方向に対して傾いた傾斜角を示している。第１伸縮部材７１の傾斜角θ１と第２伸縮部材７２の傾斜角θ２は，同一であってもよいし，異なっていてもよい。図４（ｃ）に示した例において，傾斜角θ１と傾斜角θ２は，実質的に同一（差分５度以内）となっている。例えば，傾斜角θ１と傾斜角θ２は，２０度〜８０度，又は３０度〜６０度の範囲から選ばれた角度とすればよい。特に，傾斜角θ１と傾斜角θ２は，それぞれ，３０度〜６０度，又は３５度〜４５度の範囲内であることが好ましい。
【００５３】
また，図４（ｃ）において，第１伸縮部材７１と第２伸縮部材７２の交点におけるなす角のうち，その優角を符号αで示し，劣角を符号βで示している。つまり，優角αと劣角βは，その合計が１８０度となる。なお，本願明細書において，優角αと劣角βには，それぞれが完全な直角（９０度）である場合も含まれる。ここで，第１伸縮部材７１と第２伸縮部材７２は，優角αと劣角βの差が３０度以内となるように，傾斜角θ１，θ２が調整されていることが好ましい。特に，優角αと劣角βの差は，０〜３０度，５〜２５度，又は１０〜２０度であることが好ましい。例えば，優角αは，９０度〜１２０度であることが好ましく，劣角βは，６０度〜９０度であることが好ましい。このように，第１伸縮部材７１と第２伸縮部材７２において，優角αと劣角βの差が小さくなるようにすることで，第１伸縮部材７１と第２伸縮部材７２の伸長方向のバランスを良くすることができる。つまり，優角αと劣角βの差を小さくすることで，外装体１０，２０が長手方向に引っ張られたときに，第１伸縮部材７１の傾斜部分７１ｂと第２伸縮部材７２の傾斜部分７２ｂが連動して伸びるようになる。他方，優角αと劣角βの差が大きくなり過ぎると，外装体１０，２０が長手方向に引っ張られたときに，第１伸縮部材７１の傾斜部分７１ｂと第２伸縮部材７２の傾斜部分７２ｂのいずれか一方しか伸びないという事態が発生し得る。そうすると，外装体１０，２０の伸縮性のバランスが悪くなり，この外装体１０，２０によって，吸収性本体３０をしっかりと身体にフィットさせにくくなる。このため，優角αと劣角βの差は，３０度以内であることが好ましい。
【００５４】
上述した第１伸縮部材７１と第２伸縮部材７２としては，例えば，糸状や平状の弾性ゴムを用いることができる。このようなゴム材としては，スチレン系ゴム，オレフィン系ゴム，ウレタン系ゴム，エステル系ゴム，ポリウレタン，ポリエチレン，ポリスチレン，スチレンブタジエン，シリコーン，ポリエステル等の素材を用いることができる。
【００５５】
また，第１伸縮部材７１と第２伸縮部材７２を構成する糸ゴムは，その繊度が，３００ｄｔ〜１５００ｄｔのものを用いることが好ましい。また，糸ゴムのドラフト率は，１５０〜４００％であることが好ましい。また，第１伸縮部材７１と第２伸縮部材７２は，その伸縮領域における伸長応力が，５〜５０Ｎ，又は５〜２０Ｎとなるように，外装体１０，２０に伸長状態で固定されていることが好ましい。さらに，第１伸縮部材７１と第２伸縮部材７２は，その伸縮領域における被覆圧が，１ｍｍＨｇ〜３０ｍｍＨｇ，又は５ｍｍＨｇ〜１５ｍｍＨｇとなるように，外装体１０，２０に伸長状態で固定されていることが好ましい。
【００５６】
その他，前身頃外装体１０と後身頃外装体２０には，ウエストギャザーを形成する弾性伸縮部材として，第１伸縮部材７１や第２伸縮部材７２とは異なる第３伸縮部材７４が，一又は複数本含まれていてもよい。本実施形態において，複数の第３伸縮部材７４は，ウエスト開口部を形成する端縁に沿って，幅方向に直線状に延びて，伸長状態で固定されている。直線状に延びる第３伸縮部材７４は，主に，前身頃外装体１０と後身頃外装体２０のウエスト開口周りに締付け力を付与して，着用時のずれ落ちを防止する機能を有している。
【００５７】
また，吸収性本体３０の構成としては，適宜，公知の構成を採用できる。吸収性本体３０は，基本的に，肌対向面側に位置する液透過性のトップシートと，肌非対向面側に位置する液不透過性のバックシートの間に，吸収性材料で構成された吸収体が封入された構造を有する。例えば，トップシートを構成する液透過性材料の例は，織布，不織布，又は多孔性フィルムである。また，例えばポリプロピレンやポリエチレン，ポリエステル，ナイロンのような熱可塑性樹脂の繊維を親水化処理してさらに不織布にしたものを用いることとしてもよい。また，バックシートを構成する液不透過材料の例は，ポリエチレン樹脂からなる液不透過性のフィルムである。特に，０．１〜４μｍの微細な孔が複数形成された微多孔性ポリエチレンフィルムを用いることが好ましい。また，吸収体を構成する吸収性材料としては，例えば，フラッフパルプ，高吸収性ポリマー，又は親水性シートを用いることができる。また，吸収性材料には，フラッフパルプ，高吸収性ポリマー，又は親水性シートのうち１種類を単独で用いてもよいし，２種類以上を併用することとしてもよい。
【００５８】
また，吸収性本体３０は，吸収体の左右両側部に沿って起立する一対の立体ギャザーが設けられていてもよい。立体ギャザーのそれぞれには，その先端部に，弾性伸縮部材が配置されている。このため，立体ギャザーは，弾性伸縮部材が収縮した際に，着用者の肌当接方向に向かって立ち上がる。一対の立体ギャザーは，尿の防漏壁となり，トップシートを透過しなかった尿や，吸収体により吸収しきれなった尿が，使い捨ておむつの脚部周り開口部などから漏出する横漏れを防止する。
【００５９】
なお，図２等に示した実施形態では，前身頃外装体１０と後身頃外装体２０の中央領域７０ａに，第１伸縮部材７１の中央平行部分７１ａと，第２伸縮部材７２の中央平行部分７２ａが形成された実施形態について説明した。ただし，中央領域７０ａにおいて，第１伸縮部材７１と第２伸縮部材７２は切断されていてもよい。つまり，第１伸縮部材７１の中央平行部分７１ａと，第２伸縮部材７２の中央平行部分７２ａは，一部切断されて，間欠的に形成されていてもよい。前身頃外装体１０と後身頃外装体２０の中央領域７０ａは，吸収性本体３０と重なる領域であるため，この部分において弾性伸縮部材を切断しておくことで，吸収性本体３０が歪んで，着用者の身体との間に隙間が生じることを防止できる。吸収性本体３０の中央部分と重なる領域において弾性伸縮部材を切断する技術は，公知である。
【００６０】
続いて，図５及び図６を参照して，本発明に係る使い捨ておむつ１００の他の実施形態について説明する。図５は，他の実施形態に係る使い捨ておむつの展開図であり，図６は，他の実施形態に係る第１伸縮部材７１と第２伸縮部材７２を抽出して示した模式図である。図５及び図６に示されるように，本実施形態は，図２等に示した実施形態とは，第１伸縮部材７１と第２伸縮部材７２の形状が異なっている。他の実施形態については，上述した実施形態と異なる点を中心に説明を行い，同一の構成についての説明は省略する。
【００６１】
図５の展開図に示されるように，本実施形態では，前身頃外装体１０と後身頃外装体２０の網目形成領域７０ｂにおいて，複数の第１伸縮部材７１と複数の第２伸縮部材７２が，２以上の傾斜部分を有している。これにより，複数の第１伸縮部材７１と複数の第２伸縮部材７２の交点の数が増えて，網目状領域７３の面積が拡大している。
【００６２】
具体的に説明すると，図６（ａ）に示されるように，本実施形態では，第１伸縮部材７１は，４度揺動して，外装体１０，２０に固定されている。つまり，図６（ａ）に示されるように，第１伸縮部材７１は，まず，左側の外側平行部分７１ｃにおいて幅方向と平行に配置され，左側の第１の傾斜部分７１ｂにおいて下側に向かって傾斜して配置され，その後，もう一度幅方向と平行に配置される。これが，一度目の揺動操作となる。続いて，第１伸縮部材７１は，左側の第２の傾斜部分７１ｂにいて，もう一度下側に向かって傾斜して配置され，その後再度幅方向と平行に配置される。これが二度目の揺動操作となる。その後，第１伸縮部材７１は，中央平行部分７１ａにおいて幅方向と平行になった後，右側の第１の傾斜部分７１ｂにおいて上側に向かって傾斜して配置され，その後，もう一度幅方向と平行に配置される。これが，三度目の揺動操作となる。さらに，続いて，第１伸縮部材７１は，右側の第２の傾斜部分７１ｂにいて，もう一度上側に向かって傾斜して配置され，その後，右側の外側平行部分７１ｃにおいてもう一度幅方向と平行に配置される。これが，四度目の揺動操作となる。このように，一本の第１伸縮部材７１につき，４度の揺動操作が行われる。なお，上述ように，本実施形態では，２つの傾斜部分７１ｂの間に，一つの平行部分が設けられる。この２つの傾斜部分７１ｂの間に位置する平行部分を，中間平行部分７１ｄという。
【００６３】
第２伸縮部材２についても，上述した第１伸縮部材７１と同様に，４度の揺動操作が行われる。すなわち，図６（ｂ）に示されるように，第２伸縮部材７２は，まず，左側の外側平行部分７１ｃにおいて幅方向と平行に配置され，左側の第１の傾斜部分７２ｂにおいて上側に向かって傾斜して配置され，その後，もう一度幅方向と平行に配置される。これが，一度目の揺動操作となる。続いて，第２伸縮部材７２は，左側の第２の傾斜部分７２ｂにいて，もう一度上側に向かって傾斜して配置され，その後再度幅方向と平行に配置される。これが二度目の揺動操作となる。その後，第２伸縮部材７２は，中央平行部分７２ａにおいて幅方向と平行になった後，右側の第１の傾斜部分７２ｂにおいて下側に向かって傾斜して配置され，その後，もう一度幅方向と平行に配置される。これが，三度目の揺動操作となる。さらに，続いて，第２伸縮部材７２は，右側の第２の傾斜部分７２ｂにいて，もう一度下側に向かって傾斜して配置され，その後，右側の外側平行部分７２ｃにおいてもう一度幅方向と平行に配置される。これが，四度目の揺動操作となる。このように，一本の第２伸縮部材７２につき，４度の揺動操作が行われる。なお，上述ように，本実施形態では，２つの傾斜部分７２ｂの間に，一つの平行部分が設けられる。この２つの傾斜部分７２ｂの間に位置する平行部分を，中間平行部分７２ｄという。
【００６４】
このように，第１伸縮部材７１と第２の伸縮部材７２とでは，傾斜部分７１ｂ，７２ｂにおける揺動方向が逆になっている。このため，第１伸縮部材７１と第２伸縮部材７２は，傾斜部分７１ｂ，７２ｂにおいて互いに交差するようになる。そして，複数の第１伸縮部材７１と複数の第２伸縮部材７２が交差することで，網目状領域７３が形成される。図５に示されるように，第１伸縮部材７１と第２伸縮部材７２の揺動回数（傾斜部分の数）を増やすことで，伸縮部材の数が少ない場合であっても，網目状領域７３の面積を比較的広く確保することができる。すなわち，第１伸縮部材７１と第２伸縮部材７２の揺動回数を増やすことで，ゴム材などの資材コストを低減させることができる。また，図５に示されるように，吸収性本体３０の外縁の一部（特に隅部分）は，網目状領域７３に重畳している。このため，ゴム材の本数を減らした場合であっても，上記図２等に示された実施形態と同様の効果を奏することができる。
【００６５】
なお，第１伸縮部材７１と第２の伸縮部材７２の揺動回数は，２回や４回に限られず，本発明の各作用を奏する範囲において，６回，８回，１０回などとすることも可能である。
【００６６】
続いて，図７及び図８を参照して，本発明に係る使い捨ておむつ１００のさらに別の実施形態について説明する。図７は，本実施形態に係る使い捨ておむつの展開図であり，図８は，本実施形態に係る第１伸縮部材７１と第２伸縮部材７２を抽出して示した模式図である。図７及び図８に示されるように，本実施形態は，図２等に示した実施形態とは，第１伸縮部材７１と第２伸縮部材７２の傾斜方向が異なっている。本実施形態については，上述した図２等の実施形態と異なる点を中心に説明を行い，同一の構成についての説明は省略する。
【００６７】
図７及び図８に示されるように，本実施形態において，第１伸縮部材７１は，左右両方の傾斜部分７１ｂが，下側に向かって斜めに傾斜するものとなっている。反対に，第２伸縮部材７２は，左右両方の傾斜部分７２ｂが，上側に向かって斜めに傾斜するものとなっている。本実施形態では，このように，第１伸縮部材７１の左右の傾斜部分７１ｂを同じ方向に傾斜させるとともに，第２伸縮部材７２の左右の傾斜部分７２ｂを同じ方向に傾斜させている。このような形状によっても，基本的に，図２等に示した実施形態と同じ効果を奏することができる。特に，本実施形態のよう左右の傾斜部分７１ｂ，７２ｂを同じ方向に傾斜させることで，各伸縮部材を高速で搖動させて外装体に取り付ける際に，各伸縮部材に掛かる張力（テンション）が不均一になったり，各伸縮部材の軌跡にズレが生じることを防止できる。すなわち，本実施形態によれば，各伸縮部材を高速で搖動させて外装体に取り付ける際に，各伸縮部材が安定しやすくなる。
【００６８】
具体的に説明すると，図８（ａ）（ｂ）には，第１伸縮部材７１と，第２伸縮部材７２の拡大図が示されている。図８（ａ）（ｂ）に示されているように，第１伸縮部材７１と第２伸縮部材７２は，それぞれ，中央平行部分７１ａ，７２ａと，左右の傾斜部分７１ｂ，７２ｂと，左右の外側平行部分７１ｃ，７２ｃを有する。中央平行部分７１ａ，７２ａは，幅方向の中央において，第１伸縮部材７１と第２伸縮部材７２が使い捨ておむつの幅方向に沿って平行に延びる部分である。また，左右の傾斜部分７１ｂ，７２ｂは，中央平行部分７１ａ，７２ａの幅方向左右外側に位置し，使い捨ておむつの幅方向に対して傾斜している部分である。第１伸縮部材７１の左右の傾斜部分７１ｂと，第２伸縮部材７２の左右の傾斜部分７２ｂは，それぞれ反対方向に向かって傾斜している。また，左右の外側平行部分７１ｃ，７２ｃは，傾斜部分７１ｂ，７２ｂの幅方向外側に位置し，使い捨ておむつの幅方向に沿って平行に延びる部分である。
【００６９】
このように，第１伸縮部材７１と第２伸縮部材７２とを湾曲させるためには，各伸縮部材を外装体１０，２０に固定する際に，搖動させればよい。図８（ａ）に示されるように，第１伸縮部材７１は，まず，左側の外側平行部分７１ｃにおいて幅方向と平行に配置され，左側の傾斜部分７１ｂにおいて下側に向かって傾斜して配置され，その後，中央平行部分７１ａにおいてもう一度幅方向と平行に配置される。これが，一度目の揺動操作となる。続いて，第１伸縮部材７１は，中央平行部分７１ａにおいて幅方向と平行になった後，右側の傾斜部分７１ｂにおいて，再び下側に向かって傾斜して配置され，その後，右側の外側平行部分７１ｃにおいてもう一度幅方向と平行に配置される。これが，二度目の揺動操作となる。このように，本実施形態では，第１伸縮部材７１につき，同じ方向に二度の揺動操作を行って，同じ方に傾いた傾斜部分７１ｂを形成する。
【００７０】
同様の手順で，第２伸縮部材７２に対しても，二度の揺動操作を行う。すなわち，図８（ｂ）に示されるように，第２伸縮部材７２は，まず，左側の外側平行部分７２ｃにおいて幅方向と平行に配置され，左側の傾斜部分７２ｂにおいて上側に向かって傾斜して配置され，その後，中央平行部分７２ａにおいてもう一度幅方向と平行に配置される。これが，一度目の揺動操作となる。続いて，第２伸縮部材７２は，中央平行部分７２ａにおいて幅方向と平行になった後，右側の傾斜部分７２ｂにおいて，再び上側に向かって傾斜して配置され，その後，右側の外側平行部分７２ｃにおいてもう一度幅方向と平行に配置される。これが，二度目の揺動操作となる。このように，本実施形態では，第２伸縮部材７２についても，同じ方向に二度の揺動操作を行って，同じ方に傾いた傾斜部分７２ｂを形成する。
【００７１】
上記の通り，第１伸縮部材７１と第２の伸縮部材７２とでは，傾斜部分７１ｂ，７２ｂの揺動方向が逆になっている。このため，第１伸縮部材７１と第２伸縮部材７２は，傾斜部分７１ｂ，７２ｂにおいて互いに交差するようになる。このような実施形態によっても，着用者の多様な動作に対応できるように，外装体の追従性を確保しつつ，吸収性本体が着用者の身体に密着し易くなるようにすることができる。
【００７２】
以上，本願明細書では，本発明の内容を表現するために，図面を参照しながら本発明の実施形態の説明を行った。ただし，本発明は，上記実施形態に限定されるものではなく，本願明細書に記載された事項に基づいて当業者が自明な変更形態や改良形態を包含するものである。
【産業上の利用可能性】
【００７３】
本発明は，乳幼児用や高齢者用のパンツ型使い捨ておむつに関する。従って，本発明は，使い捨ておむつの製造業において好適に利用し得る。
【符号の説明】
【００７４】
１…前身頃              ２…後身頃              ３…股下部
４…左右両側部          ５…ウエスト開口部      ６…レッグ開口部
１０…前身頃外装体      １１…インナーシート    １２…アウターシート
２０…後身頃外装体      ２１…インナーシート    ２２…アウターシート
３０…吸収性本体        ３０ａ…接合部          ３０ｂ…非接合部
７０ａ…中央領域        ７０ｂ…網目形成領域    ７０ｃ…外側領域
７１…第１伸縮部材      ７１ａ…中央平行部分    ７１ｂ…傾斜部分
７１ｃ…外側平行部分    ７１ｄ…中間平行部分    ７２…第２伸縮部材
７２ａ…中央平行部分    ７２ｂ…傾斜部分        ７２ｃ…外側平行部分
７１ｄ…中間平行部分    ７３…網目状領域        ７４…第３伸縮部材
１００…パンツ型使い捨ておむつ
【図１】
2015165852.tif 000003
【図２】
2015165852.tif 000004
【図３】
2015165852.tif 000005
【図４】
2015165852.tif 000006
【図５】
2015165852.tif 000007
【図６】
2015165852.tif 000008
【図７】
2015165852.tif 000009
【図８】
2015165852.tif 000010